(57)【要約】  【課題】  所定の条件が揃う毎に対象となるＩＰ電話サーバのＩＰアドレスの取得を可能にし、対象となるＩＰ電話サーバが切り替わっても、通信を確立することができるＩＰクライアント装置を提供する。  【解決手段】  通信端末インタフェース手段５と、ＩＰアドレス有効時間（ＴＴＬ：TIME TO LIVE）の満了していること、動作中のＩＰ電話トランザクションがないこと、かつ新しいＩＰ電話制御の開始前であることの３条件が満たされた場合にのみ、ＤＮＳサーバ４に該当するＩＰ電話サーバ４ａ（または４ｂ）のＩＰアドレスを問い合わせるアドレス要求を送信し、ＤＮＳサーバ３から該当するＩＰ電話サーバ４ａ（または４ｂ）のＩＰアドレスを取得するＩＰアドレス取得手段８を有するＶｏＩＰ制御部６と、ＩＰ網インタフェース手段７とを備える。【選択図】  図２
2006033073.tif 000002
【特許請求の範囲】
【請求項１】
ＩＰネットワークに接続され、ＩＰ電話サーバとの間でＳＩＰプロトコルに基づいて呼制御を行うＩＰクライアント装置であって、
前記ＩＰ電話サーバのＩＰアドレス有効時間の満了を判定するとともに、動作中のＩＰ電話トランザクションの有無を判定し、かつ新しいＩＰ電話制御の開始を判断するＩＰアドレス取得手段を備え、ＩＰアドレス有効時間の満了していること、動作中のＩＰ電話トランザクションがないこと、かつ新しいＩＰ電話制御の開始前であることの３条件が満たされた場合にのみ、ＤＮＳサーバに該当するＩＰ電話サーバのＩＰアドレスを問い合わせるアドレス要求を送信し、前記ＤＮＳサーバから前記該当するＩＰ電話サーバのＩＰアドレスを取得することを特徴とするＩＰクライアント装置。
【請求項２】
前記ＩＰアドレス取得手段は、ダイヤル発信のタイミングでアドレス要求を送信することを特徴とする請求項１記載のＩＰクライアント装置。
【請求項３】
前記ＩＰアドレス取得手段は、当該ＩＰクライアント装置から前記ＩＰ電話サーバへの所定時間毎の端末登録のタイミングでアドレス要求を送信することを特徴とする請求項１記載のＩＰクライアント装置。
【請求項４】
前記ＩＰアドレス取得手段は、前記ＩＰ電話サーバのＩＰアドレス有効時間の満了を監視する有効時間監視手段と、動作中のＩＰ電話トランザクションの有無を判定する判定手段と、新しいＩＰ電話制御の開始を判断する電話制御判断手段と、を備えたことを特徴とする請求項１記載のＩＰクライアント装置。
【請求項５】
前記有効時間監視手段は、前記ＤＮＳサーバから通知される前記ＩＰ電話サーバのＩＰアドレスに付加された有効時間を０までカウントダウンするタイマ手段を備えたことを特徴とする請求項２記載のＩＰクライアント装置。
【請求項６】
ＩＰネットワークに接続され、ＩＰ電話サーバとの間でＳＩＰ制御を行うＩＰクライアント装置におけるＩＰ電話サーバのＩＰアドレス取得方法であって、
ＩＰクライアント装置の起動時に、ＩＰ電話サーバのＩＰアドレスを要求するアドレス要求をＤＮＳサーバに送信するステップと、
ＤＮＳサーバから該当するＩＰ電話サーバの有効時間が付加されたＩＰアドレスをＩＰクライアント装置が受信するステップと、
ＩＰクライアント装置からＩＰ電話サーバに取得したＩＰアドレスのＳＩＰ情報を送信してＩＰ電話サーバとの間でＳＩＰプロトコルに基づいて呼制御を行うステップと、
ＩＰクライアント装置がＩＰアドレスの有効時間満了を判定するステップと、
ＩＰクライアント装置が動作中のＩＰ電話トランザクションの有無を判定するステップと、
ＩＰクライアント装置が新しいＩＰ電話制御の開始を判断するステップと、
有効時間の満了後に、動作中のＩＰ電話トランザクションがなく、かつ新しいＩＰ電話制御の開始前の３条件が満たされた場合に、ＩＰクライアント装置から該当するＩＰ電話サーバのＩＰアドレスを要求するアドレス要求をＤＮＳサーバに送信するステップと、
ＤＮＳサーバから該当するＩＰ電話サーバの有効時間が付加されたＩＰアドレスをＩＰ電話装置が受信するステップと、
を備えたことを特徴とするＩＰクライアント装置におけるＩＰ電話サーバのＩＰアドレス取得方法。
【発明の詳細な説明】
【技術分野】
【０００１】
本発明はＩＰ網に接続されるＩＰクライアント装置およびＩＰクライアント装置におけるＩＰ電話サーバのＩＰアドレス取得方法に係り、特に、ＩＰクライアント装置の呼制御を管理するＩＰ電話サーバが別のＩＰ電話サーバに切り替わっても、再起動することなくＩＰ電話サーバのＩＰアドレスを取得できるＩＰクライアント装置およびＩＰクライアント装置におけるＩＰ電話サーバのＩＰアドレス取得方法に関する。
【背景技術】
【０００２】
従来のＩＰクライアント装置は、ＤＮＳサーバやＩＰ電話サーバとともにＩＰ網に接続され、ＩＰ電話システムが構築されているものが知られている。
【０００３】
図１０に従来のＩＰ電話システムの一般的なシステム構成図を示す。図１０において、ＩＰ電話システムは、ＩＰ電話クライアント（ＩＰクライアント装置に相当）、ＤＮＳサーバ、ＩＰ電話サーバ（１）から構成され、ＩＰ電話クライアントの起動時（例えば、電源ＯＮ時）に、ＩＰ電話クライアントから通信の対象となるＩＰ電話サーバ（１）のＩＰアドレスの要求がＤＮＳサーバに送信される手順1)が実行される。
【０００４】
ＤＮＳサーバがＩＰアドレスの要求を受信し、予め登録されているＩＰ電話サーバ（１）のＩＰアドレス（例えば、ＩＰアドレス：xxx.xxx.xxx.xxx）をＩＰ電話クライアントに送信する手順2)が実行される。
【０００５】
ＩＰ電話クライアントは、取得したＩＰアドレス（ＩＰアドレス：xxx.xxx.xxx.xxx）をＩＰ電話サーバ（１）に送信することにより、ＩＰ電話クライアントとＩＰ電話サーバ（１）との間で通信が開始され、ＳＩＰプロトコルに基づいた呼制御の手順3)が実行されることになる。
【０００６】
また、「特許文献１」には、クライアント端末からサーバにＩＰアドレスの取得要求があると、サーバがクライアント端末を特定する情報を予めデータベースに登録しておき、ＩＰアドレスの取得要求がなされたクライアント端末がデータベースに登録されたものか否かを判定して認証し、クライアント端末が認証された場合にＩＰアドレスを提供するものである。
【特許文献１】特開平２００３−２０９５６０
【発明の開示】
【発明が解決しようとする課題】
【０００７】
最近、ＩＰ網に接続されるＩＰ電話クライアントが増加傾向にあり、図１０に示すＩＰ電話サーバ（１）だけでは賄いきれず、ＩＰ電話サーバを増設して、例えば区域ごとにＩＰ電話クライアントを分けてＩＰ電話サーバが管理するような場合がある。
【０００８】
また、ＩＰ網に接続されるＩＰ電話クライアントが増加しない場合でも、図１０に示すＩＰ電話サーバ（１）の保守や点検が必要とされるときには、予備のＩＰ電話サーバへ切替える場合がある。
【０００９】
図１１に従来のＩＰ電話システムのＩＰ電話サーバの切替えを説明するシステム構成図を示す。図１１において、ＩＰ電話クライアントがＤＮＳサーバにＩＰ電話サーバ（１）のＩＰアドレスを問い合わせて、ＤＮＳサーバからＩＰアドレス（ＩＰアドレス：xxx.xxx.xxx.xxx）を取得し、取得したＩＰアドレスをＩＰ電話サーバ（１）に送信することにより、ＩＰ電話クライアントとＩＰ電話サーバ（１）との間で通信が開始され、ＳＩＰプロトコルに基づいた呼制御が実行される手順1)から手順3)までは図１０と同様である。
【００１０】
ＩＰ電話サーバ（２）が増設され、ＩＰ電話サーバ（１）からＩＰ電話サーバ（２）に切替えられる手順4)があると、ＩＰ電話クライアントは、起動時に取得したＩＰ電話サーバ（１）のＩＰアドレス（ＩＰアドレス：xxx.xxx.xxx.xxx）を記憶しており、ＩＰ電話サーバ（２）のＩＰアドレス（ＩＰアドレス：yyy.yyy.yyy.yyy）を取得することができないため（ＩＰアドレスの取得はＩＰ電話クライアントの起動時のみ）、ＩＰ電話サーバ（２）にＩＰアドレス（ＩＰアドレス：xxx.xxx.xxx.xxx）を送信しても、ＩＰ電話クライアントとＩＰ電話サーバ（２）との間で通信することができない。
【００１１】
ＩＰ電話クライアントを再起動（例えば、電源ＯＦＦ→電源ＯＮ）すれば、図１０に示す手順1)〜手順3)と同様に、ＩＰ電話サーバ（２）のＩＰアドレス（ＩＰアドレス：yyy.yyy.yyy.yyy）を取得して、取得したＩＰアドレス（ＩＰアドレス：yyy.yyy.yyy.yyy）をＩＰ電話サーバ（２）に送信することにより、ＩＰ電話クライアントとＩＰ電話サーバ（２）との間で通信を開始することが可能であるが、稼動中のＩＰ電話クライアントを再起動しなければならず、またＩＰ電話サーバ側の切替え時期などを知る必要があり、このような対応をすることが実使用上極めて困難となる課題がある。
【００１２】
この発明はこのような課題を解決するためになされたもので、その目的は所定の条件が揃う毎に対象となるＩＰ電話サーバのＩＰアドレスの取得を可能にし、対象となるＩＰ電話サーバが切り替わっても、通信を確立することができるＩＰクライアント装置およびＩＰクライアント装置におけるＩＰ電話サーバのＩＰアドレス取得方法を提供することにある。
【課題を解決するための手段】
【００１３】
前記課題を解決するためこの発明に係るＩＰクライアント装置は、ＩＰネットワークに接続され、ＩＰ電話サーバとの間でＳＩＰプロトコルに基づいて呼制御を行うＩＰクライアント装置であって、ＩＰ電話サーバのＩＰアドレス有効時間の満了を判定するとともに、動作中のＩＰ電話トランザクションの有無を判定し、かつ新しいＩＰ電話制御の開始を判断するＩＰアドレス取得手段を備え、ＩＰアドレス有効時間の満了していること、動作中のＩＰ電話トランザクションがないこと、かつ新しいＩＰ電話制御の開始前であることの３条件が満たされた場合にのみ、ＤＮＳサーバに該当するＩＰ電話サーバのＩＰアドレスを問い合わせるアドレス要求を送信し、前記ＤＮＳサーバから前記該当するＩＰ電話サーバのＩＰアドレスを取得するものである。
【発明の効果】
【００１４】
本発明に係るＩＰクライアント装置およびＩＰクライアント装置におけるＩＰ電話サーバのＩＰアドレス取得方法によれば、対象となるＩＰ電話サーバが切り替わっても、装置の再起動をすることなく、自動的にＩＰ電話サーバのＩＰアドレスを取得することができ、使い勝手の良さならびに利便性の向上を実現することができる。
【発明を実施するための最良の形態】
【００１５】
本発明に係るＩＰクライアント装置は、ＩＰネットワークに接続され、ＩＰ電話サーバとの間でＳＩＰプロトコルに基づいて呼制御を行うＩＰクライアント装置であって、ＩＰ電話サーバのＩＰアドレス有効時間の満了を判定するとともに、動作中のＩＰ電話トランザクションの有無を判定し、かつ新しいＩＰ電話制御の開始を判断するＩＰアドレス取得手段を備え、ＩＰアドレス有効時間の満了していること、動作中のＩＰ電話トランザクションがないこと、かつ新しいＩＰ電話制御の開始前であることの３条件が満たされた場合にのみ、ＤＮＳサーバに該当するＩＰ電話サーバのＩＰアドレスを問い合わせるアドレス要求を送信し、ＤＮＳサーバから該当するＩＰ電話サーバのＩＰアドレスを取得することを特徴とする。
【００１６】
この発明に係るＩＰクライアント装置は、ＩＰ電話サーバのＩＰアドレス有効時間の満了を判定するとともに、動作中のＩＰ電話トランザクションの有無を判定し、かつ新しいＩＰ電話制御の開始を判断するＩＰアドレス取得手段を備え、ＩＰアドレス有効時間の満了していること、動作中のＩＰ電話トランザクションがないこと、かつ新しいＩＰ電話制御の開始前であることの３条件が満たされた場合にのみ、ＤＮＳサーバに該当するＩＰ電話サーバのＩＰアドレスを問い合わせるアドレス要求を送信し、ＤＮＳサーバから該当するＩＰ電話サーバのＩＰアドレスを取得するので、対象となるＩＰ電話サーバが切り替わっても、装置の再起動をすることなく、自動的にＩＰ電話サーバのＩＰアドレスを取得することができる。
【００１７】
また、この発明に係るＩＰアドレス取得手段は、ダイヤル発信のタイミングでアドレス要求を送信することを特徴とする。
【００１８】
この発明に係るＩＰアドレス取得手段は、ダイヤル発信のタイミングでアドレス要求を送信するので、ダイヤル発信毎に最新のＩＰアドレスを取得し、対象となるＩＰ電話サーバを特定することができる。
【００１９】
さらに、ＩＰアドレス取得手段は、当該ＩＰクライアント装置からＩＰ電話サーバへの所定時間毎の端末登録のタイミングでアドレス要求を送信することを特徴とする。
【００２０】
ＩＰアドレス取得手段は、当該ＩＰクライアント装置からＩＰ電話サーバへの所定時間毎の端末登録のタイミングでアドレス要求を送信するので、装置を長期間に亘って使用しない場合でも、繰り返してＩＰアドレスを取得し、対象となるＩＰ電話サーバを特定することができる。
【００２１】
また、この発明に係るＩＰアドレス取得手段は、ＩＰ電話サーバのＩＰアドレス有効時間の満了を監視する有効時間監視手段と、動作中のＩＰ電話トランザクションの有無を判定する判定手段と、新しいＩＰ電話制御の開始を判断する電話制御判断手段とを備えたことを特徴とする。
【００２２】
この発明に係るＩＰアドレス取得手段は、ＩＰ電話サーバのＩＰアドレス有効時間の満了を監視する有効時間監視手段と、動作中のＩＰ電話トランザクションの有無を判定する判定手段と、新しいＩＰ電話制御の開始を判断する電話制御判断手段とを備えたので、ＩＰアドレス有効時間（ＴＴＬ：TIME TO LIVE）の満了していること、動作中のＩＰ電話トランザクションがないこと、かつ新しいＩＰ電話制御の開始前であることの３条件が満たされたことを判定することができる。
【００２３】
さらに、この発明に係る有効時間監視手段は、ＤＮＳサーバから通知されるＩＰ電話サーバのＩＰアドレスに付加された有効時間を０までカウントダウンするタイマ手段を備えたことを特徴とする。
【００２４】
この発明に係る有効時間監視手段は、ＤＮＳサーバから通知されるＩＰ電話サーバのＩＰアドレスに付加された有効時間を０までカウントダウンするタイマ手段を備えたので、有効時間の０を計時することができる。
【００２５】
また、この発明に係るＩＰクライアント装置におけるＩＰ電話サーバのＩＰアドレス取得方法は、ＩＰネットワークに接続され、ＩＰ電話サーバとの間でＳＩＰプロトコルに基づいて呼制御を行うＩＰクライアント装置におけるＩＰ電話サーバのＩＰアドレス取得方法であって、ＩＰクライアント装置の起動時に、ＩＰ電話サーバのＩＰアドレスを要求するアドレス要求をＤＮＳサーバに送信するステップと、ＤＮＳサーバから該当するＩＰ電話サーバの有効時間が付加されたＩＰアドレスをＩＰクライアント装置が受信するステップと、ＩＰクライアント装置からＩＰ電話サーバに取得したＩＰアドレスのＳＩＰ情報を送信してＩＰ電話サーバとの間でＳＩＰプロトコルに基づいて呼制御を行うステップと、ＩＰクライアント装置がＩＰアドレスの有効時間満了を判定するステップと、ＩＰクライアント装置が動作中のＩＰ電話トランザクションの有無を判定するステップと、ＩＰクライアント装置が新しいＩＰ電話制御の開始を判断するステップと、有効時間の満了後に、動作中のＩＰ電話トランザクションがなく、かつ新しいＩＰ電話制御の開始前の３条件が満たされた場合に、ＩＰクライアント装置から該当するＩＰ電話サーバのＩＰアドレスを要求するアドレス要求をＤＮＳサーバに送信するステップと、ＤＮＳサーバから該当するＩＰ電話サーバの有効時間が付加されたＩＰアドレスをＩＰクライアント装置が受信するステップとを備えたことを特徴とする。
【００２６】
この発明に係るＩＰクライアント装置におけるＩＰ電話サーバのＩＰアドレス取得方法は、ＩＰクライアント装置の起動時に、ＩＰ電話サーバのＩＰアドレスを要求するアドレス要求をＤＮＳサーバに送信するステップと、ＤＮＳサーバから該当するＩＰ電話サーバの有効時間が付加されたＩＰアドレスをＩＰクライアント装置が受信するステップと、ＩＰクライアント装置からＩＰ電話サーバに取得したＩＰアドレスのＳＩＰ情報を送信してＩＰ電話サーバとの間でＳＩＰプロトコルに基づいて呼制御を行うステップと、ＩＰクライアント装置がＩＰアドレスの有効時間満了を判定するステップと、ＩＰクライアント装置が動作中のＩＰ電話トランザクションの有無を判定するステップと、ＩＰクライアント装置が新しいＩＰ電話制御の開始を判断するステップと、有効時間の満了後に、動作中のＩＰ電話トランザクションがなく、かつ新しいＩＰ電話制御の開始前の３条件が満たされた場合に、ＩＰクライアント装置から該当するＩＰ電話サーバのＩＰアドレスを要求するアドレス要求をＤＮＳサーバに送信するステップと、ＤＮＳサーバから該当するＩＰ電話サーバの有効時間が付加されたＩＰアドレスをＩＰクライアント装置が受信するステップとを備えたので、装置の起動時と、ＩＰアドレスの有効時間が満了していること、動作中のＩＰ電話トランザクションがないこと、および新しいＩＰ電話制御の開始前であることの３条件が揃った時には、ＤＮＳサーバに該当するＩＰ電話サーバのＩＰアドレスを問い合わせるアドレス要求を送信し、ＤＮＳサーバから該当するＩＰ電話サーバのＩＰアドレスを取得するので、対象となるＩＰ電話サーバが切り替わっても、装置の再起動をすることなく、自動的にＩＰ電話サーバのＩＰアドレスを取得することができる。
【００２７】
以下、この発明の実施の形態を添付図面に基づいて説明する。なお、ＩＰ電話システムに適用されるＩＰクライアント装置には、ＩＰ電話機、一般的な電話機（例えば、アナログ電話機）を収容してＩＰ網に接続するアダプタの役割を果たすＩＰ電話装置、ＩＰ電話網と公衆網を中継してＩＰ／ＰＳＴＮ（Public Switched Telephone Network）変換するゲートウェイなどがあるが、本実施の形態では、ＩＰ電話装置で説明する。
【００２８】
図１はこの発明に係るＩＰ電話装置が適用されるＩＰ電話システムの一実施の形態システム構成図である。図１において、ＩＰ電話システム１は、ＩＰ電話装置２、ＤＮＳ（Domain Name System）サーバ３、ＩＰ電話サーバ４ａ、ＩＰ電話サーバ４ｂおよびＩＰ電話機ＴＰを備え、各々がＩＰ網ＮＴに接続して構成される。
【００２９】
ＩＰ電話装置２は、ポートにアナログ電話機ＴＥＬ１〜ＴＥＬｎを接続し、アナログ電話機ＴＥＬ１〜ＴＥＬｎからのアナログ信号にＰＳＴＮ（Public Switched Telephone Network）／ＩＰ（Internet Protocol）変換を施し、ＩＰパケットをＩＰ網ＮＴに送信する。
【００３０】
また、ＩＰ電話装置２は、ＩＰ網ＮＴからのＩＰパケットを受信し、ＩＰパケットにＩＰ／ＰＳＴＮ変換を施し、アナログ信号をアナログ電話機ＴＥＬ１〜ＴＥＬｎに提供する。
【００３１】
さらに、ＩＰ電話装置２は、ＳＩＰ（Session Initiation Protocol）プロトコルに基づいてＤＮＳサーバ３と、ＩＰ電話サーバ４ａまたはＩＰ電話サーバ４ｂとの間で呼制御を行う。
【００３２】
ＩＰ電話装置２は、ＤＮＳサーバ３に、ＩＰ電話装置２が管理されるＩＰ電話サーバ（例えば、ＩＰ電話サーバ４ａ）のＩＰアドレスを問い合わせ、ＤＮＳサーバ３からＩＰ電話サーバ４ａのＩＰアドレス（例えば、ＩＰアドレス：xxx.xxx.xxx.xxx）を取得した後、ＩＰアドレスをＩＰ電話サーバ４ａに送信し、ＩＰ電話サーバ４ａとの間で通信を確立し、呼制御を実行する。
【００３３】
また、ＩＰ電話装置２は、運用中に、対象となるＩＰ電話サーバ４ａが保守などにより、ＩＰ電話サーバ４ｂに切り替わったときには、所定の条件が満足した時点で、ＤＮＳサーバ３に、ＩＰ電話装置２が管理されることになるＩＰ電話サーバ（例えば、ＩＰ電話サーバ４ｂ）のＩＰアドレスを問い合わせ、ＤＮＳサーバ３からＩＰ電話サーバ４ｂのＩＰアドレス（例えば、ＩＰアドレス：yyy.yyy.yyy.yyy）を取得した後、ＩＰアドレスをＩＰ電話サーバ４ｂに送信し、ＩＰ電話サーバ４ｂとの間で通信を確立し、呼制御を継続して実行する。
【００３４】
ＤＮＳサーバ３は、ドメイン名に対応したＩＰ電話サーバのＩＰアドレスを格納し、ＩＰアドレス要求があると、ＩＰアドレスを要求先（ここでは、ＩＰ電話装置２）に送信する。
【００３５】
なお、ＩＰアドレスは、予め対応したＩＰ電話サーバから登録される。また、ＩＰアドレスには、ＩＰ電話サーバから設定されたＩＰアドレス有効時間（ＴＴＬ：TIME TO LIVE）が付加される。
【００３６】
ＩＰ電話サーバ４ａおよびＩＰ電話サーバ４ｂは、有効時間（ＴＴＬ：TIME TO LIVE）が付加されたＩＰアドレスを備え、ＩＰ電話装置２からＩＰアドレスが送信されてくると、ＩＰ電話装置２の認証をした後、ＩＰ電話装置２との間で通信を確立し、ＳＩＰプロトコルに基づいて呼制御を行う。
【００３７】
ＩＰ電話機ＴＰは、ＩＰクライアント装置を構成し、ＩＰ電話装置２と同様に、ＤＮＳサーバ３にＩＰ電話サーバ４ａやＩＰ電話サーバ４ｂのＩＰアドレスを問い合わせ、ＤＮＳサーバ３から取得したＩＰアドレスに基づいてＩＰ電話サーバ４ａやＩＰ電話サーバ４ｂとの間で通信を確立し、ＳＩＰプロトコルに基づいて呼制御を実行する。
【００３８】
図２はこの発明に係るＩＰ電話装置の一実施の形態要部ブロック構成図である。図２において、ＩＰ電話装置２は、マイクロプロセッサ、ＤＳＰ（digital signal processor）、メモリを基本にソフトウェアやファームウェアとともに、各種処理機能、演算機能で構成し、通信端末インタフェース手段５、ＶｏＩＰ制御部６、ＩＰ網インタフェース手段７を備える。
【００３９】
通信端末インタフェース手段５は、アナログ電話機ＴＥＬ１〜ＴＥＬｎをポートに接続し、アナログ電話機ＴＥＬ１〜ＴＥＬｎから供給されるアナログ信号をＩＰ網ＮＴに出力するためのＩＰ信号にＰＳＴＮ（Public Switched Telephone Network）／ＩＰ変換してＶｏＩＰ制御部６に提供する。
【００４０】
また、通信端末インタフェース手段５は、ＶｏＩＰ制御部６から供給されるＩＰ信号をアナログ信号にＩＰ／ＰＳＴＮ（Public Switched Telephone Network）変換してアナログ電話機ＴＥＬ１〜ＴＥＬｎに出力する。
【００４１】
ＶｏＩＰ制御部６は、ＳＩＰ（Session Initiation Protocol）プロトコルに基づいて呼制御を実行し、ＤＮＳサーバ３、ＩＰ電話サーバ４ａ、ＩＰ電話サーバ４ｂとの間でＳＩＰインタフェースを実行する。
【００４２】
また、ＶｏＩＰ制御部６は、ＩＰ電話サーバ４ａ（または、ＩＰ電話サーバ４ｂ）のＩＰアドレス有効時間（ＴＴＬ：TIME TO LIVE）の満了時を判定するとともに、動作中のＩＰ電話トランザクションの有無を判定し、かつ新しいＩＰ電話制御の開始を判断するＩＰアドレス取得手段を備える。
【００４３】
ＩＰアドレス取得手段８は、ＩＰアドレス有効時間（ＴＴＬ：TIME TO LIVE）の満了していること、動作中のＩＰ電話トランザクションがないこと、かつ新しいＩＰ電話制御の開始前であることの３条件が満たされた場合にのみ、ＤＮＳサーバ４に該当するＩＰ電話サーバ４ａ（または４ｂ）のＩＰアドレスを問い合わせるアドレス要求を送信し、ＤＮＳサーバ３から該当するＩＰ電話サーバ４ａ（または４ｂ）のＩＰアドレスを取得する。
【００４４】
ＩＰ網インタフェース手段７は、ＶｏＩＰ制御部６から供給されるＩＰ信号をＩＰパケットに変換し、ＬＡＮやＷＡＮを介してＩＰ網ＮＴに出力する。
【００４５】
また、ＩＰ網インタフェース手段７は、ＩＰ網ＮＴからＬＡＮやＷＡＮを介して受信したＩＰパケットをＩＰ信号に変換し、ＶｏＩＰ制御部６に提供する。
【００４６】
図３はこの発明に係るＩＰアドレス取得手段の一実施の形態要部機能ブロック構成図である。図３において、ＩＰアドレス取得手段８は、制御手段９、記憶手段１０、有効時間監視手段１１、判定手段１２、電話制御判断手段１３、タイミング信号発生手段１４、データ入出力手段１５を備える。
【００４７】
制御手段９は、記憶手段１０、有効時間監視手段１１、判定手段１２、電話制御判断手段１３、タイミング信号発生手段１４、データ入出力手段１５の処理および動作を制御することにより、ＩＰアドレス取得手段８のＳＩＰプロトコルに基づく呼制御を実行する。
【００４８】
制御手段９は、ＩＰ電話装置２が起動（例えば、電源ＯＮ）された時、記憶手段１０に格納されているＩＰアドレス（例えば、ＩＰアドレス：xxx.xxx.xxx.xxx）の要求（「query」）を読み出し、データ入出力手段１５からＩＰ網インタフェース手段７を介してＤＮＳサーバ３に送信する制御を行う。
【００４９】
また、制御手段９は、ＤＮＳサーバ３から送信され。ＩＰ網インタフェース手段７、データ入出力手段１５を介して有効時間（ＴＴＬ：TIME TO LIVE）が付加されたＩＰアドレス（例えば、ＩＰアドレス：xxx.xxx.xxx.xxx）を取得した場合には、ＩＰアドレス（：xxx.xxx.xxx.xxx）を記憶手段１０に格納させる制御を行う。
【００５０】
さらに、制御手段９は、記憶手段１０に格納されたＩＰアドレス（：xxx.xxx.xxx.xxx）を読み出し、シーケンスプログラムに従って「REGISTER」要求をデータ入出力手段１５、ＩＰ網インタフェース手段７を介してＩＰ網ＮＴに送信させる制御を行う。
【００５１】
また、制御手段９は、ＩＰアドレス（：xxx.xxx.xxx.xxx）のＩＰ電話サーバ４ａから成功応答（「200OK」）をＩＰ網インタフェース手段７、データ入出力手段１５を介して受け取った場合には、ＩＰ電話サーバ４ａとの間でＳＩＰに基づいて呼制御を実行する制御を行う。
【００５２】
記憶手段１０は、ＥＥＰＲＯＭ、フラッシュメモリなどで構成し、ＳＩＰ（Session Initiation Protocol）プロトコルの実行に必要な各種データ、シーケンスデータを記憶する。
【００５３】
また、記憶手段１０は、ＳＩＰプロトコルに基づいて呼制御を行う対象となるＩＰ電話サーバ４ａやＩＰ電話サーバ４ｂの有効時間（ＴＴＬ：TIME TO LIVE）が付加されたＩＰアドレス（例えば、ＩＰアドレス：xxx.xxx.xxx.xxx）やＩＰアドレス（例えば、ＩＰアドレス：yyy.yyy.yyy.yyy）を格納する。
【００５４】
有効時間監視手段１１は、ＩＰ網インタフェース手段７からデータ入出力手段１５を介して有効時間（ＴＴＬ：TIME TO LIVE）が付加されたＩＰアドレス（例えば、ＩＰアドレス：xxx.xxx.xxx.xxx）が取得された場合、直ちに記憶手段１０からＩＰアドレス（：xxx.xxx.xxx.xxx）の有効時間（ＴＴＬ：TIME TO LIVE）を取込み、有効時間（ＴＴＬ）を計時して満了時を監視する。
【００５５】
また、有効時間監視手段１１は、有効時間（ＴＴＬ）を０までカウントダウンするタイマ手段を備え、有効時間（ＴＴＬ）が０になった時、有効時間（ＴＴＬ＝０）を記憶手段１０に格納するとともに、ＴＴＬ満了信号を制御手段９に通知する。
【００５６】
なお、ＩＰアドレスの有効時間（ＴＴＬ）は、ＩＰ電話サーバ４ａ（または、４ｂ）側で、例えば２０分のように設定し、ＤＮＳサーバ３にＩＰアドレスを登録する時に、有効時間（ＴＴＬ＝２０分）を設定する。
【００５７】
また、ＤＮＳサーバ３側は、ＩＰ電話サーバ４ａ（または、４ｂ）からＩＰアドレスが登録されると、有効時間（ＴＴＬ＝２０分）のカウントダウンを開始し、ＩＰ電話装置２にＩＰアドレスを通知する時、その時点でカウントダウンした有効時間（例えば、ＴＴＬ＝１５分）を付加したＩＰアドレス（例えば、ＩＰアドレス：xxx.xxx.xxx.xxx）を通知する。
【００５８】
ＤＮＳサーバ３は、ＩＰアドレス（例えば、ＩＰアドレス：xxx.xxx.xxx.xxx）を通知した後も、有効時間（ＴＴＬ）のカウントダウンを継続し、有効時間（ＴＴＬ）が０になると、再度、有効時間（ＴＴＬ＝２０分）を設定した後、カウントダウンを再開する。
【００５９】
このように、この発明に係る有効時間監視手段１１は、ＤＮＳサーバ３から通知されるＩＰ電話サーバ４ａ（または、４ｂ）のＩＰアドレスに付加された有効時間を０までカウントダウンするタイマ手段を備えたので、有効時間（ＴＴＬ：TIME TO LIVE）の０を計時することができ、有効時間（ＴＴＬ：TIME TO LIVE）の満了を判定することができる。
【００６０】
判定手段１２は、ＩＰ電話装置２に接続されたアナログ電話機ＴＥＬ１〜ＴＥＬｎのいずれかが動作しているか否かで、動作中のＩＰ電話トランザクションの有無を判定し、ＩＰ電話トランザクションがない場合には、判定信号を制御手段９に通知する。
【００６１】
電話制御判断手段１３は、例えば、アナログ電話機ＴＥＬ１〜ＴＥＬｎが全て使用されていない状態から、アナログ電話機ＴＥＬ１がオフフックされた場合には、ＩＰ電話装置２がＩＰ電話制御を開始することになるが、このような新しいＩＰ電話制御の開始を判断することにより、新しいＩＰ電話制御の開始がない場合、電話制御がないと判断して電話制御判断信号を制御手段９に通知する。
【００６２】
有効時間監視手段１１からのＴＴＬ満了信号、判定手段１２からの判定信号および電話制御判断手段１３からの電話制御判断信号が通知された時、制御手段９は、ＩＰアドレス有効時間（ＴＴＬ：TIME TO LIVE）の満了していること、動作中のＩＰ電話トランザクションがないこと、かつ新しいＩＰ電話制御の開始前であることの３条件が満たされたと判断し、記憶手段１０からアドレス要求（「query」）を読み出し、データ入出力手段１５、ＩＰ網インタフェース手段７を介してアドレス要求（「query」）をＤＮＳサーバ３に送信する。
【００６３】
タイミング信号発生手段１４は、アナログ電話機ＴＥＬ１〜ＴＥＬｎからのダイヤル発信のタイミングでタイミング信号を発生する。
【００６４】
また、タイミング信号発生手段１４は、所定時間毎の端末登録のタイミングでタイミング信号を発生する。所定時間毎の端末登録とは、ＩＰ電話装置２が長い期間に亘って使用されておらず、対象となるＩＰ電話サーバ４ａ（または、４ｂ）に、定期的に（例えば、３０分毎）、ＩＰ電話装置２から対象となるＩＰ電話サーバ４ａ（または、４ｂ）に「re−REGISTER」（位置登録）を送信することを示す。
【００６５】
制御手段９は、ＩＰアドレス有効時間（ＴＴＬ：TIME TO LIVE）の満了していること、動作中のＩＰ電話トランザクションがないこと、かつ新しいＩＰ電話制御の開始前であることの３条件が満たされたときに、ダイヤル発信のタイミングでタイミング信号が発生、または、所定時間毎の端末登録のタイミングでタイミング信号が発生すると、データ入出力手段１５を介してアドレス要求（「query」）をＤＮＳサーバ３に送信する。
【００６６】
このように、この発明に係るＩＰアドレス取得手段８は、ダイヤル発信のタイミングでアドレス要求を送信するので、ダイヤル発信毎に最新のＩＰアドレスを取得し、対象となるＩＰ電話サーバ４ａ（または、４ｂ）を特定することができ、装置とＩＰ電話サーバとの通信の確立を確実にすることができる。
【００６７】
また、この発明に係るＩＰアドレス取得手段８は、所定時間毎の端末登録のタイミングでアドレス要求を送信するので、装置を長期間に亘って使用しない場合でも、繰り返してＩＰアドレスを取得し、対象となるＩＰ電話サーバ４ａ（または、４ｂ）を特定することができ、装置とＩＰ電話サーバとの通信の確立を確実にすることができる。
【００６８】
さらに、この発明に係るＩＰアドレス取得手段８は、ＩＰ電話サーバ４ａ（または、４ｂ）のＩＰアドレス有効時間の満了を監視する有効時間監視手段１１と、動作中のＩＰ電話トランザクションの有無を判定する判定手段１２と、新しいＩＰ電話制御の開始を判断する電話制御判断手段１３とを備えたので、ＩＰアドレス有効時間（ＴＴＬ：TIME TO LIVE）の満了していること、動作中のＩＰ電話トランザクションがないこと、かつ新しいＩＰ電話制御の開始前であることの３条件が満たされたことを判定することができ、ダイヤル発信のタイミングや所定時間毎の端末登録のタイミングでアドレスを要求し、ＩＰアドレスを取得することができる。
【００６９】
次に、この発明に係るＩＰ電話装置が適用されるＩＰ電話システムのシーケンス動作について説明する。図４はこの発明に係るＩＰ電話装置の実施の形態ＳＩＰインタフェースのシーケンス動作図である。なお、本実施の形態では、ＩＰ電話装置２がＩＰ電話サーバ４ａに管理されており、ＩＰ電話機ＴＰがＩＰ電話サーバ４ｂに管理されているものとして説明する。
【００７０】
図４において、ＩＰ電話システムが運用状態にあり、アナログ電話機ＴＥＬ１からＩＰ電話機ＴＰにダイヤル発信すると、ＩＰ電話装置２からＩＰ電話サーバ４ａにＳＩＰリクエストのfirst-「INVITE」がＩＰ電話サーバ４ａに送信されると、ＩＰ電話サーバ４ａから「100Trying」、続いて「407Proxy Authentication Required」がＩＰ電話装置２に送信されてくる。
【００７１】
ＩＰ電話装置２からＩＰ電話サーバ４ａに「ACK」に続いて「INVITE」が送信されると、ＩＰ電話サーバ４ａからＩＰ電話装置２に「100Trying」が送信されると同時に、着信先であるＩＰ電話機ＴＰを管理するＩＰ電話サーバ４ｂに「INVITE」が送信される。
【００７２】
ＩＰ電話サーバ４ｂからＩＰ電話サーバ４ａに「100Trying」が送信され、続いてＩＰ電話サーバ４ａに「180Ringing」が送信されると、ＩＰ電話サーバ４ａからＩＰ電話装置２に「180Ringing」が送信される。この時、ＩＰ電話装置２からアナログ電話機ＴＥＬ１に「RBT生成」が送られ、アナログ電話機ＴＥＬ１からリングバックトーンを発生すと同時に、ＩＰ電話サーバ４ｂからＩＰ電話機ＴＰに「着信要求（１６Ｈｚ）」が送信され、ＩＰ電話機ＴＰが着信（ＲＩＮＧ）鳴動する。
【００７３】
ＩＰ電話機ＴＰがＯＦＦ ＨＯＯＫ操作して着信に応答すると、ＩＰ電話サーバ４ｂからＩＰ電話サーバ４ａに「200OK」、ＩＰ電話サーバ４ａからＩＰ電話装置２にも「200OK」が送信され、ＩＰ電話装置２からＩＰ電話サーバ４ａに「ACK」、ＩＰ電話サーバ４ａからＩＰ電話サーバ４ｂにも「ACK」が送信されてアナログ電話機ＴＥＬ１とＩＰ電話機ＴＰが「通話」状態になる。
【００７４】
通話が終了した後、アナログ電話機ＴＥＬ１でＯＮ ＨＯＯＫ操作すると、ＩＰ電話装置２からＩＰ電話サーバ４ａに「BYE」が送信され、ＩＰ電話サーバ４ａからＩＰ電話サーバ４ｂにも「BYE」が送信される。この時、ＩＰ電話サーバ４ｂからＩＰ電話機ＴＰに「ＢＵＳＹ ＴＯＮＥ生成」が送信され、ＩＰ電話機ＴＰからビジートーンが発生する。
【００７５】
ＩＰ電話機ＴＰがＯＮ ＨＯＯＫ操作すると、ＩＰ電話サーバ４ｂからＩＰ電話サーバ４ａに「200OK」、ＩＰ電話サーバ４ａからＩＰ電話装置２に「200OK」が送信されて通話が終了する。
【００７６】
また、ＩＰ電話機ＴＰがダイヤル発信し、アナログ電話機ＴＥＬ１が応答して通話状態に入り、ＩＰ電話機ＴＰがＯＮ ＨＯＯＫ操作して終話する場合も、同様なシーケンス動作を行う。
【００７７】
なお、アナログ電話機ＴＥＬ１からダイヤル発信する前に、アナログ電話機ＴＥＬ１〜ＴＥＬｎが動作を停止している場合には、ダイヤル発信がＩＰ電話装置２の新しいＩＰ電話制御となる。また、上記の一連のシーケンス動作が動作中のＩＰ電話トランザクションとなる。
【００７８】
図５はこの発明に係るＩＰ電話装置の実施の形態の起動時ＩＰアドレス取得シーケンス図である。図５において、ＩＰ電話装置２を起動（例えば、電源ＯＮ）すると、ＩＰ電話装置２からＤＮＳサーバ３にＩＰ電話サーバのＩＰアドレス要求となる「query」が送信される。
【００７９】
ＤＮＳサーバ３は、ＩＰ電話装置２を管理しているＩＰ電話サーバ４ａのＩＰアドレス（ＩＰアドレス：xxx.xxx.xxx.xxx）に有効時間（ＴＴＬ）を付加した「response」をＩＰ電話装置２に送信する。
【００８０】
「response」から有効時間（ＴＴＬ）が付加されたＩＰアドレス（：xxx.xxx.xxx.xxx）を取得したＩＰ電話装置２は、「REGISTER」をＩＰ電話サーバ４ａに送信し、ＩＰ電話サーバ４ａから「200OK」を受信すると、ＩＰ電話装置２とＩＰ電話サーバ４ａとの間の通信が確立する。
【００８１】
図６はこの発明に係るＩＰ電話装置の実施の形態ダイヤル発信時ＩＰアドレス取得シーケンス図である。図６において、ＩＰ電話装置２は、ＩＰアドレス有効時間（ＴＴＬ：TIME TO LIVE）の満了していること、動作中のＩＰ電話トランザクションがないこと、かつ新しいＩＰ電話制御の開始前であることの３条件が満たされた状態にあり、この状態でアナログ電話機ＴＥＬ１からダイヤル発信があると、ＩＰ電話装置２からダイヤル発信のタイミングでＩＰ電話サーバのＩＰアドレス要求となる「query」がＤＮＳサーバ３に送信される。
【００８２】
ＩＰ電話装置２を管理するＩＰ電話サーバがＩＰ電話サーバ４ａの場合、ＤＮＳサーバ３には、ＩＰ電話サーバ４ａの有効時間（ＴＴＬ）を付加したＩＰアドレス（ＩＰアドレス：xxx.xxx.xxx.xxx）が登録されており、ＤＮＳサーバ３は、有効時間（ＴＴＬ）を付加したＩＰアドレス（ＩＰアドレス：xxx.xxx.xxx.xxx）の「response」をＩＰ電話装置２に送信する。
【００８３】
これ以降、図４で詳細に説明したものと同様なＩＰ電話トランザクションが実行され、アナログ電話機ＴＥＬ１のＯＮ ＨＯＯＫ操作により、ＩＰ電話装置２の動作が停止状態になる。
【００８４】
なお、ＩＰ電話装置２を管理するＩＰ電話サーバがＩＰ電話サーバ４ｂの場合、ＤＮＳサーバ３には、ＩＰ電話サーバ４ｂのＩＰアドレス（ＩＰアドレス：yyy.yyy.yyy.yyy）が有効時間（ＴＴＬ）を付加されて登録されており、ＩＰ電話装置２からダイヤル発信のタイミングでアドレス要求となる「query」がＤＮＳサーバ３に送信されると、ＤＮＳサーバ３から有効時間（ＴＴＬ）を付加したＩＰアドレス（ＩＰアドレス：yyy.yyy.yyy.yyy）の「response」がＩＰ電話装置２に送信されることになる。
【００８５】
図７はこの発明に係るＩＰ電話装置の実施の形態の端末登録時ＩＰアドレス取得シーケンス図である。図７において、ＩＰ電話装置２は、ＩＰアドレス有効時間（ＴＴＬ：TIME TO LIVE）の満了していること、動作中のＩＰ電話トランザクションがないこと、かつ新しいＩＰ電話制御の開始前であることの３条件が満たされた状態にあり、ＩＰ電話装置２から、所定時間毎（例えば、３０分）の端末登録のタイミングでアドレス要求である「query」がＤＮＳサーバ３に送信される。
【００８６】
ＩＰ電話装置２を管理するＩＰ電話サーバがＩＰ電話サーバ４ａの場合、ＤＮＳサーバ３には、ＩＰ電話サーバ４ａの有効時間（ＴＴＬ）を付加したＩＰアドレス（ＩＰアドレス：xxx.xxx.xxx.xxx）が登録されており、ＤＮＳサーバ３は、有効時間（ＴＴＬ）を付加したＩＰアドレス（ＩＰアドレス：xxx.xxx.xxx.xxx）の「response」をＩＰ電話装置２に送信する。
【００８７】
続いて、ＩＰ電話装置２からＩＰ電話サーバ４ａに端末登録の要求である「Re-REGISTER」が２度送信され、ＩＰ電話サーバ４ａからＩＰ電話装置２に「200OK」が送信されて端末登録が完了する。
【００８８】
図８はこの発明に係るＩＰ電話システムにおけるＩＰ電話サーバの切替え説明図である。図８において、ＩＰ電話装置２の起動時（例えば、電源ＯＮ時）に、ＩＰ電話装置２から通信の対象となるＩＰ電話サーバ４ａのＩＰアドレスの要求がＤＮＳサーバ３に送信される手順1)が実行される。
【００８９】
ＤＮＳサーバ３がＩＰアドレスの要求を受信し、予め登録されているＩＰ電話サーバ４ａのＩＰアドレス（例えば、ＩＰアドレス：xxx.xxx.xxx.xxx）をＩＰ電話装置２に送信する手順2)が実行される。
【００９０】
ＩＰ電話装置２は、取得したＩＰアドレス（ＩＰアドレス：xxx.xxx.xxx.xxx）をＩＰ電話サーバ４ａに送信することにより、ＩＰ電話装置２とＩＰ電話サーバ４ａとの間で通信が開始され、ＳＩＰプロトコルに基づいた呼制御の手順3)が実行されることになる。
【００９１】
ＩＰ電話サーバ４ａからＩＰ電話サーバ４ｂに切替えられる手順4)があると、ＩＰ電話装置２から、３条件が満了した時に、ダイヤル発信のタイミングまたは所定時間毎の端末登録のタイミングで、ＩＰアドレスの要求がＤＮＳサーバ３に送信される手順5)が実行される。
【００９２】
ＤＮＳサーバ３がＩＰアドレスの要求を受信し、切替えられることによって登録されたＩＰ電話サーバ４ｂのＩＰアドレス（例えば、ＩＰアドレス：yyy.yyy.yyy.yyy）をＩＰ電話装置２に送信する手順6)が実行される。
【００９３】
ＩＰ電話装置２は、取得したＩＰアドレス（ＩＰアドレス：yyy.yyy.yyy.yyy）をＩＰ電話サーバ４ｂに送信することにより、ＩＰ電話装置２とＩＰ電話サーバ４ｂとの間で通信が開始され、ＳＩＰプロトコルに基づいた呼制御の手順7)が実行されることになる。
【００９４】
以上説明したように、この発明に係るＩＰクライアント装置（ＩＰ電話装置２）は、ＩＰ電話サーバ４ａ（または、４ｂ）のＩＰアドレス有効時間の満了を判定するとともに、動作中のＩＰ電話トランザクションの有無を判定し、かつ新しいＩＰ電話制御の開始を判断するＩＰアドレス取得手段８を備え、ＩＰアドレス有効時間の満了していること、動作中のＩＰ電話トランザクションがないこと、かつ新しいＩＰ電話制御の開始前であることの３条件が満たされた場合にのみ、ＤＮＳサーバ３に該当するＩＰ電話サーバ４ａ（または、４ｂ）のＩＰアドレスを問い合わせるアドレス要求を送信し、ＤＮＳサーバ３から該当するＩＰ電話サーバ４ａ（または、４ｂ）のＩＰアドレスを取得するので、対象となるＩＰ電話サーバが切り替わっても、装置の再起動をすることなく、自動的にＩＰ電話サーバのＩＰアドレスを取得することができ、使い勝手の良さならびに利便性の向上を実現することができる。
【００９５】
続いて、この発明に係るＩＰクライアント装置におけるＩＰ電話サーバのＩＰアドレス取得方法について説明する。図９はこの発明に係るＩＰクライアント装置におけるＩＰ電話サーバのＩＰアドレス取得方法の一実施の形態要部動作フロー図である。
【００９６】
図９において、ステップＳ１では、ＩＰクライアント装置の起動時に、ＩＰ電話サーバのＩＰアドレスを要求するアドレス要求をＤＮＳサーバに送信する。
【００９７】
ステップＳ２では、ＤＮＳサーバから該当するＩＰ電話サーバの有効時間が付加されたＩＰアドレスをＩＰクライアント装置が受信する。
【００９８】
ステップＳ３では、ＩＰクライアント装置からＩＰ電話サーバに取得したＩＰアドレスのＳＩＰ情報を送信してＩＰ電話サーバとの間でＳＩＰプロトコルに基づいて呼制御を行う。
【００９９】
ステップＳ４では、ＩＰクライアント装置がＩＰアドレスの有効時間満了を判定し、有効時間が満了している場合にはステップＳ５に移行する。一方、有効時間満了していない場合にはステップＳ４を繰り返す。
【０１００】
ステップＳ５では、ＩＰクライアント装置が動作中のＩＰ電話トランザクションの有無を判定し、動作中のＩＰ電話トランザクションがない場合にはステップＳ６に移行する。一方、動作中のＩＰ電話トランザクションが有る場合にはステップＳ５を繰り返す。
【０１０１】
ステップＳ６では、ＩＰクライアント装置が新しいＩＰ電話制御の開始を判断し、新しいＩＰ電話制御が開始されない場合にはステップＳ７に移行する。一方、新しいＩＰ電話制御が開始されている場合には、ステップＳ６を繰り返す。
【０１０２】
ステップＳ７では、有効時間の満了後に、動作中のＩＰ電話トランザクションがなく、かつ新しいＩＰ電話制御の開始前の３条件が満たされた場合に、ＩＰクライアント装置から該当するＩＰ電話サーバのＩＰアドレスを要求するアドレス要求をＤＮＳサーバに送信する。
【０１０３】
ステップＳ８では、ＤＮＳサーバから該当するＩＰ電話サーバの有効時間が付加されたＩＰアドレスをＩＰ電話装置が受信する。
【０１０４】
なお、ＩＰクライアント装置が稼動している限り、ステップＳ３からステップＳ８の動作が継続して繰り返され、ＩＰクライアント装置の動作が停止（例えば、電源ＯＦＦ）した場合に終了となる。
【０１０５】
このように、この発明に係るＩＰクライアント装置におけるＩＰ電話サーバのＩＰアドレス取得方法は、ＩＰクライアント装置の起動時に、ＩＰ電話サーバのＩＰアドレスを要求するアドレス要求をＤＮＳサーバに送信するステップＳ１と、ＤＮＳサーバから該当するＩＰ電話サーバの有効時間が付加されたＩＰアドレスをＩＰクライアント装置が受信するステップＳ２と、ＩＰクライアント装置からＩＰ電話サーバに取得したＩＰアドレスのＳＩＰ情報を送信してＩＰ電話サーバとの間でＳＩＰプロトコルに基づいて呼制御を行うステップＳ３と、ＩＰクライアント装置がＩＰアドレスの有効時間満了を判定するステップＳ４と、ＩＰクライアント装置が動作中のＩＰ電話トランザクションの有無を判定するステップＳ５と、ＩＰクライアント装置が新しいＩＰ電話制御の開始を判断するステップＳ６と、有効時間の満了後に、動作中のＩＰ電話トランザクションがなく、かつ新しいＩＰ電話制御の開始前の３条件が満たされた場合に、ＩＰクライアント装置から該当するＩＰ電話サーバのＩＰアドレスを要求するアドレス要求をＤＮＳサーバに送信するステップＳ７と、ＤＮＳサーバから該当するＩＰ電話サーバの有効時間が付加されたＩＰアドレスをＩＰ電話装置が受信するステップＳ８とを備えたので、装置の起動時と、ＩＰアドレスの有効時間が満了していること、動作中のＩＰ電話トランザクションがないこと、かつ新しいＩＰ電話制御の開始前であることの３条件が揃った時には、ＤＮＳサーバに該当するＩＰ電話サーバのＩＰアドレスを問い合わせるアドレス要求を送信し、ＤＮＳサーバから該当するＩＰ電話サーバのＩＰアドレスを取得するので、対象となるＩＰ電話サーバが切り替わっても、装置の再起動をすることなく、自動的にＩＰ電話サーバのＩＰアドレスを取得することができ、利便性の向上を図ることができる。
【産業上の利用可能性】
【０１０６】
本発明に係るＩＰクライアント装置は、所定の条件が揃う毎に対象となるＩＰ電話サーバのＩＰアドレスの取得を可能にし、対象となるＩＰ電話サーバが切り替わっても、通信を確立することができるものであり、ＩＰ網に接続するあらゆるＩＰクライアント装置に適用することができる。
【図面の簡単な説明】
【０１０７】
【図１】この発明に係るＩＰ電話装置が適用されるＩＰ電話システムの一実施の形態システム構成図
【図２】この発明に係るＩＰ電話装置の一実施の形態要部ブロック構成図
【図３】この発明に係るＩＰアドレス取得手段の一実施の形態要部機能ブロック構成図
【図４】この発明に係るＩＰ電話装置の実施の形態ＳＩＰインタフェースのシーケンス動作図
【図５】この発明に係るＩＰ電話装置の実施の形態の起動時ＩＰアドレス取得シーケンス図
【図６】この発明に係るＩＰ電話装置の実施の形態ダイヤル発信時ＩＰアドレス取得シーケンス図
【図７】この発明に係るＩＰ電話装置の実施の形態の端末登録時ＩＰアドレス取得シーケンス図
【図８】この発明に係るＩＰ電話システムにおけるＩＰ電話サーバの切替え説明図
【図９】この発明に係るＩＰクライアント装置におけるＩＰ電話サーバのＩＰアドレス取得方法の一実施の形態要部動作フロー図
【図１０】従来のＩＰ電話システムの一般的なシステム構成図
【図１１】従来のＩＰ電話システムのＩＰ電話サーバの切替えを説明するシステム構成図
【符号の説明】
【０１０８】
１    ＩＰ電話システム
２    ＩＰ電話装置
３    ＤＮＳサーバ
４ａ    ＩＰ電話サーバ
４ｂ    ＩＰ電話サーバ
５    通信端末インタフェース手段
６    ＶｏＩＰ制御部
７    ＩＰ網インタフェース手段
８    ＩＰアドレス取得手段
９    制御手段
１０    記憶手段
１１    有効時間監視手段
１２    判定手段
１３    電話制御判断手段
１４    タイミング信号発生手段
１５    データ入出力手段
ＴＥＬ１〜ＴＥＬｎ    アナログ電話機
ＮＴ    ＩＰ網
ＴＰ    ＩＰ電話機
ＢＵＳ    制御バス
【図１】
2006033073.tif 000003
【図２】
2006033073.tif 000004
【図３】
2006033073.tif 000005
【図４】
2006033073.tif 000006
【図５】
2006033073.tif 000007
【図６】
2006033073.tif 000008
【図７】
2006033073.tif 000009
【図８】
2006033073.tif 000010
【図９】
2006033073.tif 000011
【図１０】
2006033073.tif 000012
【図１１】
2006033073.tif 000013